(57)【要約】【課題】コマセカップの掬い面と把持部本体に設けた目印との角度を調節可能とした釣り用ヒシャクを、高度な技術を必要とせずに製造を容易なものとするとともに、製造コストを低く抑える。【解決手段】一端にコマセカップを取付可能としたロッド本体２を設け、このロッド本体２を挿通孔６に回動可能に貫通するとともに挿通孔６の他端に連続して係合受部を、挿通孔６の直径よりも拡開して把持部本体５を形成する。この把持部本体５の係合受部に押圧されるとともにロッド本体２の他端部を着脱可能又は着脱不能に固定した係合体１２を形成する。この係合体１２を内部に配置した押圧体１６によって係合受部７に圧着し、ロッド本体２を把持部本体５に回動不能に固定し得るよう把持部本体５に着脱可能に螺着して固定体１０を形成する。【選択図】図１
2005087151.tif 000002
【特許請求の範囲】
【請求項１】
一端にコマセカップを取付可能としたロッド本体と、このロッド本体の他端を、軸方向に形成した挿通孔に回動可能に貫通するとともに挿通孔の他端に連続して係合受部を、挿通孔の直径よりも拡開して形成し、表面に把持部本体を把持する際の位置確認用の目印を形成した把持部本体と、この把持部本体の係合受部に押圧されるとともにロッド本体の他端部を着脱可能又は着脱不能に固定した係合体と、この係合体を内部に配置した押圧体によって係合受部に圧着し、ロッド本体を把持部本体に回動不能に固定し得るよう把持部本体に着脱可能に螺着した固定体とから成ることを特徴とする釣り用ヒシャク。
【請求項２】
ロッド本体と係合体との着脱不能な固定は、係合体の軸方向に設けた挿入凹部にロッド本体を挿入して接着固定したことを特徴とする請求項１の釣り用ヒシャク。           
【請求項３】
ロッド本体と係合体との着脱可能な固定は、係合体の軸方向にロッド本体の他端を挿入する挿入凹部を設けると共に、この挿入凹部に外周面から貫通する複数本の割溝を形成し、係合体を押圧体によって係合受部に圧着した時に割溝の間隔を狭めてロッド本体に係合体を締着固定し、係合体への押圧体の押圧を解除したときにロッド本体と係合体とを取り外し可能なものとするチャック方式としたことを特徴とする請求項１の釣り用ヒシャク。
【請求項４】
係合受部と係合体との圧着は、係合体の外周に固定した弾性部材を介して行うものであることを特徴とする請求項１、２または３の釣り用ヒシャク。
【請求項５】
押圧体は、固定体とは別体に形成したことを特徴とする請求項１の釣り用ヒシャク。
【請求項６】
押圧体は、固定体の内部に一体に成形したことを特徴とする請求項１の釣り用ヒシャク。
【請求項７】
目印は、指掛用の凹凸部であることを特徴とする請求項１の釣り用ヒシャク。
【請求項８】
固定体の取付側とは反対位置の把持部本体には、外周面に設けた前方外周螺溝に前方固定体を着脱可能に螺着し、この前方固定体にロッド本体を貫通するとともに、前方固定体と把持部本体との間隔に弾性環状体を、ロッド本体を貫通して介装し、前方固定体の締め付け時に、弾性環状体を弾性変形してロッド本体の外周面を挟持可能とした事を特徴とする請求項１の釣り用ヒシャク。
【発明の詳細な説明】
【技術分野】
【０００１】
本発明は、釣りに於いて、コマセなどの撒餌を目的位置に投入するための釣り用ヒシャクに係るものであって、使用者の癖を容易に調整して目的位置への撒餌の正確な投入を行うことを目的とするものである。
【背景技術】
【０００２】
従来より、釣りにおいて、仕掛けの投入位置付近にオキアミ、イワシミンチなどの撒餌を投入して集魚効果を高める集魚方法が存在するが、この集魚方法の一つとして、釣り用ヒシャクを用いる方法が知られている。この方法により集魚効果を高めるためには、釣り用ヒシャクのコマセカップ内に収納した撒餌を目的位置に正確に投入する必要がある。しかし、使用者の投入スタイルの癖は使用者毎に異なるものであり、画一的に形成された釣り用ヒシャクで正確な投入を行うことは容易ではない。
【０００３】
そこで、特許文献１に示すごとく、釣り人の投入癖に対応するよう調整可能な釣り用ヒシャクが開発されている。この釣り用ヒシャクは、テーパー状に形成したロッド本体と、このロッド本体を回動可能に装着した把持部と、把持部に着脱可能に螺着してロッド本体を押圧することにより、このテーパー状のロッド本体の外周面を把持部の内面に圧着する固定栓とから成るものである。そのため、固定栓を締め付ければ、ロッド本体のテーパー面は把持部の内面に押圧固定され、固定栓を緩めれば、ロッド本体を回動可能とし、ロッド本体の一端に接続したコマセカップの掬い面と、把持部の外周に形成した目印との角度を変化させることを可能としたものである。
【特許文献１】実開平６−６４４７０号公報
【発明の開示】
【発明が解決しようとする課題】
【０００４】
しかしながら、特許文献１に記載の釣り用ヒシャクは、ロッド本体をテーパー状に形成しているため、把持部に形成した挿通孔の内周面をも、対応するテーパー状に形成しなければならず、高い工作精度を要求されるものとなっていた。また、工作上の誤差、経年変化により、部材に変形などが生じると、ロッド本体と把持部にガタ付きを生じたり、正確な固定ができなくなる可能性がある。また、テーパー状に形成したロッド本体を把持部の挿通孔に挿通した場合、両者が固着し回転が困難となる事態が生じやすいものであった。
【０００５】
本発明は、上述のごとき課題を解決しようとするものであって、把持部に対してロッド本体を回動及び固定自在とした釣り用ヒシャクにおいて、高度な製造技術を必要とせず製造を容易なものとし、製造コストを低く抑えることを目的としたものである。そして、多少の工作上の誤差、経年変化による部材の変形などが生じても、ロッド本体と把持部との固定を正確に行うことを可能にするものである。
【課題を解決するための手段】
【０００６】
本発明は上述のごとき課題を解決するため、一端にコマセカップを取付可能としたロッド本体と、このロッド本体の他端を、軸方向に形成した挿通孔に回動可能に貫通するとともに、挿通孔の他端に連続して係合受部を、挿通孔の直径よりも拡開して形成し、表面に把持部本体を把持する際の位置確認用の目印を形成した把持部本体と、この把持部本体の係合受部に押圧されるとともにロッド本体の他端部を着脱可能又は着脱不能に固定した係合体と、この係合体を内部に配置した押圧体によって係合受部に圧着し、ロッド本体を把持部本体に回動不能に固定し得るよう把持部本体に着脱可能に螺着した固定体とから成るものである。
【０００７】
また、ロッド本体と係合体との着脱不能な固定は、係合体の軸方向に設けた挿入凹部にロッド本体を挿入して接着固定したものであっても良い。
【０００８】
また、ロッド本体と係合体との着脱可能な固定は、係合体の軸方向にロッド本体の他端を挿入する挿入凹部を設けると共に、この挿入凹部に外周面から貫通する複数本の割溝を形成し、係合体を押圧体によって係合受部に圧着した時に割溝の間隔を狭めてロッド本体に係合体を締着固定し、係合体への押圧体の押圧を解除したときにロッド本体と係合体とを取り外し可能なものとするチャック方式としたものであっても良い。
【０００９】
また、係合受部と係合体との圧着は、係合体の外周に固定した弾性部材を介して行うものであっても良い。
【００１０】
また、押圧体は、固定体とは別体に形成したものであっても良い。
【００１１】
また、押圧体は、固定体の内部に一体に成形したものであっても良い。
【００１２】
また、目印は、指掛用の凹凸部であっても良い。
【００１３】
また、固定体の取付側とは反対位置の把持部本体には、外周面に設けた前方外周螺溝に前方固定体を着脱可能に螺着し、この前方固定体にロッド本体を貫通するとともに、前方固定体と把持部本体との間隔に弾性環状体を、ロッド本体を貫通して介装し、前方固定体の締め付け時に、弾性環状体を弾性変形してロッド本体の外周面を挟持可能としたものであっても良い。
【発明の効果】
【００１４】
本発明は、把持部本体の他端部側に設けた固定体を回転させて、緩めたり、締め付けたりすることにより、ロッド本体を把持部本体に対して回動又は固定自在とし、コマセカップの掬い面と把持部本体の目印との角度を容易に調整可能とする。この調整により、使用者毎に異なる撒餌投入の癖の調整を行い、目的位置への撒餌の投入を確実なものとし、釣行時の集魚効果を高めることを可能としている。また、釣り用ヒシャクの製造を、高度な技術を必要とすることなく容易なものとし、製造コストを低く抑えることを可能としている。また、多少の工作上の誤差、経年変化による部材の変形などが生じても、ロッド本体と把持部との固定を正確に行うことを可能としている。
【実施例１】
【００１５】
本発明の第１実施例を図１〜図４において説明すれば、(１)は釣り用ヒシャクで、一端にコマセカップ(３)を取り付けたロッド本体(２)と、このコマセカップ(３)の他端に取り付けられた把持部(４)とから成るものである。この把持部(４)は、筒状に形成した把持部本体(５)の内部に、ロッド本体(２)を円周方向に回動可能に装着するための挿通孔(６)を設けている。そしてこの挿通孔(６)は、内径を一端から他端まで同一直径に形成し、この挿通孔(６)に、同じく一端から他端まで同一直径としたロッド本体(２)を、円周方向に回動可能に挿通している。また、ロッド本体(２)の一端に取り付けるコマセカップ(３)は、ロッド本体(２)に離脱不能に固定したものであっても良いし、ロッド本体(２)から取り外して交換可能としたものであっても良い。
【００１６】
また、ロッド本体(２)を挿通した挿通孔(６)の他端側には、図２に示す如く、係合受部(７)を形成している。この係合受部(７)は、挿通孔(６)に連続して挿通孔(６)の内径よりも拡開したテーパー状に形成している。また、把持部本体(５)の他端部の外周面には外周螺溝(８)を設けており、固定体(１０)の内周面に形成した内周螺溝(１１)をこの外周螺溝(８)に螺着することにより、把持部本体(５)に固定体(１０)を接続可能としている。
【００１７】
また、図２に示す如く、挿通孔(６)に挿通したロッド本体(２)の他端部には、外周面を係合受部(７)の内周面に押圧可能な係合体(１２)を接続固定している。この係合体(１２)は、軸方向に設けた挿入凹部(１３)にロッド本体(２)の他端部を挿入し接着剤等の適宜の方法で固定している。また、この係合体(１２)の外周面には、シリコン樹脂から成る弾性部材(１５)を被覆固定し、係合受部(７)に押圧圧着したときに、弾性部材(１５)と係合受部(７)の接触摩擦により、ロッド本体(２)の回転を防止している。
【００１８】
そして、弾性部材(１５)の係合受部(７)への押圧は、押圧体(１６)と前記固定体(１０)とによって行う。この押圧体(１６)は、三角錐形状とし、底面が係合体(１２)に当接するように配置している。そして、固定体(１０)を把持部本体(５)に螺着し、押圧体(１６)の外周側面(１７)を固定体(１０)の内周面で押圧することにより弾性部材(１５)の係合受部(７)への押圧を行う。また、押圧体(１６)の三角錐形状の頂点部分を、固定体の底面口(１８)から外方に突出させ、この突出部(２１)に設けた取付孔(２２)に、尻手ロープなどを取付可能としている。
【００１９】
そして、押圧体(１６)を固定体(１０)の内周面で押圧しながら、把持部本体(５)の外周螺溝(８)に、固定体(１０)の内周螺溝(１１)を螺着して締め付けることにより、係合体(１２)は、押圧体(１６)の底面で係合受部(７)方向に押圧付勢され、係合体(１２)の外周面に設けた弾性部材(１５)がテーパー状の係合受部(７)に密着してロッド本体(２)の回転を不能とする。尚、この弾性部材(１５)は必ずしも必要なものではなく、押圧体(１６)による係合体(１２)の押圧時に、係合体(１２)を係合受部(７)に回動すること無いよう圧着出来るもので有れば良く、係合体(１２)と係合受部(７)との接触面を、係合関係が生じる粗面に粗面に形成したり、凹凸部を形成するものであっても良い。
【００２０】
また、係合体(１２)と固定体(１０)との間には、押圧体(１６)を介装し、この押圧体(１６)を介して固定体(１０)が係合体(１２)を押圧するものとしているから、固定体(１０)の螺着に伴う回転力は、固定体(１０)と押圧体(１６)との間で回動摩擦を生じるものの、押圧体(１６)と係合体(１２)との間では、回動摩擦を生じることはないか、少ないものとなるため、弾性部材(１５)が係合受部(７)との圧着状態で、ネジレなどを生じることはない。
【００２１】
また、把持部本体(５)の固定体(１０)の取付側とは反対側の一端外周面に前方外周螺溝(２３)を設け、この前方外周螺溝(２３)に、前方固定体(２４)を着脱可能に螺着している。この前方固定体(２４)は、ロッド本体(２)を貫通するとともに、前方固定体(２４)の内周と、ロッド本体(２)の外周との間には、シリコン樹脂製の弾性環状体(２５)を介装している。
【００２２】
この弾性環状体(２５)は、前方外周螺溝(２３)に前方固定体(２４)を螺着して締め付けた時に、前方固定体(２４)の内周面で圧着され、弾性変形してロッド本体(２)の外周面を挟持し、圧着固定する。従って、上記の如く前方固定体(２４)を把持部本体(５)に締め付けることにより、ロッド本体(２)は、環状弾性体(２５)を介して把持部本体(５)のコマセカップ(３)側でも固定される。このように、把持部本体(５)の他端部側のみならず、コマセカップ(３)側においてもロッド本体(２)を固定することにより、把持部本体(５)にロッド本体(２)をより強固に固定することが可能となり、釣り用ヒシャク(１)の長期間又は度重なる使用においてもロッド本体(２)が意に反して回動することなく、コマセカップ(３)の掬い面(２６)と把持部本体(５)の目印(２７)を最適な角度に保った状態で安定して使用することができる。
【００２３】
又、上記の前方固定体は、前方外周螺溝(２３)に前方固定体(２４)を螺着して締め付けた時に、前方固定体(２４)の内周面で圧着され、弾性変形してロッド本体(２)の外周面を挟持する必要はあるが、上述の如くロッド本体(２)の外周面を圧着固定するまでの締め付けは必ずしも必要ではない。前記の固定体(１０)によるロッド本体(２)への締め付け固定力を補助するもので有れば良く、場合によってはロッド本体(２)と把持部本体(５)のガタツキを防止する程度のものであっても良い。
【００２４】
また、把持部本体(５)の外周面には、目印(２７)として手指を掛けるための凹凸部が形成されている。この凹凸部は、把持部本体(５)のコマセカップ(３)側に親指を掛けるための第１凹凸部(２８)を形成し、更に第１凹凸部(２８)よりも他端部側には、この第１凹凸部が形成された位置と円周方向に１８０°反対側に、人差し指、中指、薬指、小指をそれぞれ掛けるための第２凹凸部(３０)、第３凹凸部(３１)、第４凹凸部(３２)を形成している。
【００２５】
そのため、釣り人は目印(２７)である凹凸部(２８)(３０)(３１)(３２)を手で握ることにより、把持部本体(５)に対する長さ方向及び円周方向の位置を把握することができ、自分の撒餌の投入フォームの癖、撒餌の粘度、投入距離などの種々の条件に対応して、前述の方法によりロッド本体(２)を把持部本体(５)に対して回動させ、コマセカップ(３)の掬い面(２６)の角度を調整し、自分が望む最適の位置に撒餌を投入することが可能となる。また、目印(２７)として、本実施例の如く複数の凹凸部(２８)(２９)(３０)(３１)(３２)を形成すれば、釣り人の手の５本の指を、しっかりと把持部本体(５)に係合することができるため、誤って手を滑らせたりすることなく、スナップをきかせた撒餌の投入を容易に行うことが可能となる。
【００２６】
また、本実施例では、ロッド本体(２)及び弾性部材(１５)以外の部材をＡＢＳ樹脂にて形成しているが、海水により腐食、劣化を生じることのない丈夫な材質であれば、これに限定されるものではない。また、本実施例のロッド本体(２)は、カーボンシャフトを使用しているが、軽くて丈夫な材質であれば、グラスファイバーなど、他の材質にてロッド本体(２)を形成したものであってもよい。
【００２７】
上記の如く形成したものに於いて、コマセカップ(３)の掬い面(２６)と把持部本体(５)の定位置である目印(２７)との角度を、釣り人の所望の角度に調整するには、前方固定体(２４)の締め付けを離脱方向に緩めることにより、弾性環状体(２５)の弾性変形が復元し、ロッド本体(２)の外周面への圧着固定が解除され、ロッド本体(２)は把持部本体(５)のコマセカップ(３)側での固定から解放される。
【００２８】
次に、把持部本体(５)の他端部にて接続していた固定体(１０)の締め付けを緩めることにより、押圧体(１６)の係合体(１２)への押圧が解除され、弾性部材(１５)の係合受部(７)への圧着固定が解除されるから、ロッド本体(２)を円周方向に自由に回動させて、コマセカップ(３)の掬い面(２６)と把持部本体(５)の目印(２７)との角度を、釣り人の希望とする角度に調節することが可能となる。そして、ロッド本体(２)を希望の角度に調節した後、固定体(１０)及び前方固定体(２４)を締め付け、ロッド本体(２)を把持部本体(５)に回動不能に固定した状態で、撒餌の投入が可能となる。
【００２９】
また、上記の実施例では、ロッド本体(２)を把持部本体(５)に固定するのに、固定体(１０)と前方固定体(２４)とを用いているが、前方固定体(２４)は補助的なものであって、必ずしも必要なものではなく、固定体(１０)側のみによる把持部本体(５)とロッド本体(２)の固定も勿論可能なものである。
【実施例２】
【００３０】
上記の第１実施例に於いて係合体(１２)はロッド本体(２)に接着固定している。このように係合体(１２)とロッド本体(２)とを固定する事により、機構が簡略でロッド本体(２)の回転防止を確実なものとする事が出来る。しかしながら、ロッド本体(２)又はロッド本体(２)に接続した部材の一部が不具合となった場合にも、係合体(１２)とロッド本体(２)とが連結固定され、しかもコマセカップ(３)がロッド本体(２)に固定式の場合は、把持部本体(５)からロッド本体(２)を取り外す事が出来ないため、修理交換が一切出来ないものとなる。また、コマセカップ(３)を取り外し可能なものとしても、係合体(１２)とロッド本体(２)とは一体であるから、その一方のみに不具合が生じても双方を交換しなければならないものとなる。
【００３１】
そこで、第２実施例に於いては、図５、図６に示す如く、係合体(１２)とロッド本体(２)とを別体とし、着脱可能なものとしたものである。ロッド本体(２)と係合体(１２)との着脱可能な固定は、係合体(１２)の軸方向にロッド本体(２)の他端を挿入する挿入凹部(１３)を設けると共に、この挿入凹部(１３)に外周面から貫通する複数本の割溝(３４)を軸方向に形成する。そして、ロッド本体(２)の他端を挿入凹部(１３)に挿入した状態で、係合体(１２)を押圧体(１６)によって係合受部(７)に圧着した時に、割溝(３４)の間隔を狭めてロッド本体(２)に係合体(１２)を締着固定する。また、係合体(１２)への押圧体(１６)の押圧を解除したときにロッド本体(２)と係合体(１２)とを取り外し可能なものとする。このように、係合体(１２)とロッド本体(２)との固定及び固定解除をチャック方式とすることが可能である。又、この実施例に於いても係合体(１２)の外周には弾性部材(１５)を配置し、係合体(１２)を係合受部(７)に圧着した時に摩擦力を発生させロッド本体(２)の回転を有効に防止するように構成している。勿論、この弾性部材(１５)を備えた方がロッド本体(２)の回転を防止する上で有効であるが、必ずしも必要なものではなく、係合体(１２)と係合受部(７)との圧着部を粗面に形成する等の従来公知の方法を用いても良いものである。
【００３２】
このように係合体(１２)とロッド本体(２)との固定及び固定解除をチャック方式とすることにより、ロッド本体(２)を把持部本体(５)から取り外す事が可能となり、一部破損の修理や、使用目的に応じたロッド本体(２)の交換も容易となる。
【実施例３】
【００３３】
また、前記の第１実施例では、押圧体(１６)と固定体(１０)とを別体に形成し、固定体(１０)の回転力を係合体(１２)に伝達しないように形成している。しかし、係合体(１２)と押圧体(１６)との接触部を滑り性の良い、塗料、部材を配置し滑り面に形成すれば、固定体(１０)の回転力を係合体(１２)に伝達することを少なくする事が出来る。
【００３４】
そこで、第３実施例では図５に示す如く押圧体(１６)と固定体(１０)とを一体に形成している。このように押圧体(１６)と固定体(１０)とを一体に形成することにより、成形工程や、金型を少なくする事が可能となり、廉価な製品を得る事が可能となる。また、この実施例では、係合体(１２)と押圧体(１６)との接触部を滑り性の良い、塗料、部材を配置し滑り面に形成するのが好ましいものである。
【００３５】
また、前記の各実施例では係合受部(７)をテーパー状に形成しているが、係合体(１２)を押圧可能なもので有れば、円形凹部でも、平面でも良く、その形状は特に限定されるものではない。
【００３６】
また、前記の各実施例では、係合受部(７)と係合体(１２)との圧着を、係合体(１２)の外周に固定した弾性部材(１５)を介して行うものであるが、この弾性部材(１５)は、係合体(１２)と押圧体(１６)との間に介装するものであっても良い。しかし、押圧体(１６)と固定体(１０)とを一体に形成した第３実施例では、把持部本体(５)への固定体(１０)の螺着に伴う回転力が、弾性部材(１５)を介して係合体(１２)に伝達されるため、係合体(１２)とロッド本体(２)との間に捻れが生じ好ましくない。
【図面の簡単な説明】
【００３７】
【図１】本発明の第１実施例の把持部本体の断面図。
【図２】把持部本体の固定体側の分解断面図。
【図３】把持部本体の前方固定体側の分解断面図。
【図４】釣り用ヒシャクの側面図。
【図５】本発明の第２，第３実施例を示す分解断面図。
【図６】図５に示す係合体の左側面拡大図。
【符号の説明】
【００３８】
２  ロッド本体
３  コマセカップ
５  把持部本体
６  挿通孔
７  係合受部
１０  固定体
１２  係合体
１３  挿入凹部
１５  弾性部材
１６  押圧体
２３  前方外周螺溝
２４  前方固定体
２５  弾性環状体
２７  目印
３４  割溝
【図１】
2005087151.tif 000003
【図２】
2005087151.tif 000004
【図３】
2005087151.tif 000005
【図４】
2005087151.tif 000006
【図５】
2005087151.tif 000007
【図６】
2005087151.tif 000008